(57)【要約】      （修正有）【課題】より好適な操作感を提供する。【解決手段】クリック感のない、レンズ鏡筒周りに回転する第１の回転部材と、クリック感のある、レンズ鏡筒周りに回転する第２の回転部材と、マニュアルフォーカスをするか否かを設定する設定手段と、撮像された画像に選択された種別の画像処理を施す画像処理手段と、第２の回転部材に対する回転操作に応じて画像処理手段で施す画像処理の種別を変更し、マニュアルフォーカスをしないと設定されている場合は、第１の回転部材に対する回転操作に応じて画像処理手段による、選択されている画像処理の設定値を変更し、マニュアルフォーカスをすると設定されている場合は、第１の回転部材に対する回転操作に応じてフォーカス調整を行うとともに、他の操作部材への操作に応じて、選択されている画像処理の設定値を変更するように制御する制御手段と、を有する。【選択図】図５
2015126418.tif 000002
【特許請求の範囲】
【請求項１】
クリック感のない回転操作部材である、レンズ鏡筒周りに回転する第１の回転部材と、
クリック感のある回転操作部材である、前記レンズ鏡筒周りに回転する第２の回転部材と、
マニュアルフォーカスをするか否かを設定する設定手段と、
撮像された画像に選択された種別の画像処理を施す画像処理手段と、
前記第２の回転部材に対する回転操作に応じて前記画像処理手段で施す画像処理の種別を変更し、
前記設定手段においてマニュアルフォーカスをしないと設定されている場合は、前記第１の回転部材に対する回転操作に応じて前記画像処理手段による、選択されている画像処理の種別における画像処理の設定値を変更し、
前記設定手段においてマニュアルフォーカスをすると設定されている場合は、前記第１の回転部材に対する回転操作に応じてフォーカス調整を行うとともに、前記第１の回転部材とは異なる他の操作部材への操作に応じて、前記画像処理手段による、選択されている画像処理の種別における画像処理の設定値を変更するように制御する制御手段と、を有することを特徴とする撮像装置。
【請求項２】
第３の回転部材をさらに有し、
前記制御手段は、前記マニュアルフォーカスをしないと設定されている場合は、前記第１の回転部材に前記画像処理の種別における画像処理の設定値を変更する機能を割り当て、
前記マニュアルフォーカスをすると設定されている場合は、前記画像処理の種別における画像処理の設定値を変更する機能を前記第３の回転部材に割り当てることを特徴とする請求項１に記載の撮像装置。
【請求項３】
前記マニュアルフォーカスをしないと設定されている場合に、前記第１の回転部材に対して、撮影モードごとに設定が可能な撮影パラメータの種別を割り当てることが可能であることを特徴とする請求項１または２に記載の撮像装置。
【請求項４】
前記撮影パラメータは、絞り、シャッター速度、露出補正値の少なくともいずれかを含むことを特徴とする請求項３に記載の撮像装置。
【請求項５】
前記マニュアルフォーカスをすると設定されている場合に、前記第２の回転部材に対して、撮影モードごとに設定する撮影パラメータの種別を切り替える機能を割り当てることが可能であることを特徴とする請求項１または２に記載の撮像装置。
【請求項６】
前記マニュアルフォーカスをすると設定されている場合は、前記第３の回転部材に対して、撮影モードごとに設定が可能な撮影パラメータの種別を割り当てることが可能であることを特徴とする請求項１、２、５のいずれか１項に記載の撮像装置。
【請求項７】
前記撮影パラメータは、絞り、シャッター速度、露出補正値、ダイナミックレンジの補正値、暗部の補正値、ＩＳＯ感度、ホワイトバランスの補正値、アスペクト比、ズーム倍率の少なくともいずれかを含むことを特徴とする請求項５または６に記載の撮像装置。
【請求項８】
前記画像処理の種別は、予め選択されたフィルタを用いた画像処理であり、前記第１の回転部材に対する回転操作に応じて前記フィルタの効果の設定を変更することを特徴とする請求項１ないし７のいずれか１項に記載の撮像装置。
【請求項９】
さらに前記第２の回転部材に対して、前記フィルタを切り替える機能を割り当てることが可能であることを特徴とする請求項８に記載の撮像装置。
【請求項１０】
前記撮影モードは、マニュアルモード、絞り優先ＡＥモード、シャッター速度優先ＡＥモード、プログラムＡＥモードの少なくともいずれかを含むことを特徴とする請求項３ないし９のいずれか１項に記載の撮像装置。
【請求項１１】
クリック感のない回転操作部材である、レンズ鏡筒周りに回転する第１の回転部材と、クリック感のある回転操作部材である、前記レンズ鏡筒周りに回転する第２の回転部材と、マニュアルフォーカスをするか否かを設定する設定手段と、撮像された画像に選択された種別の画像処理を施す画像処理手段と、を有する撮像装置の制御方法であって、
前記第２の回転部材に対する回転操作に応じて前記画像処理手段で施す画像処理の種別を変更し、
前記設定手段においてマニュアルフォーカスをしないと設定されている場合は、前記第１の回転部材に対する回転操作に応じて前記画像処理手段による、選択されている画像処理の種別における画像処理の設定値を変更し、
前記設定手段においてマニュアルフォーカスをすると設定されている場合は、前記第１の回転部材に対する回転操作に応じてフォーカス調整を行うとともに、前記第１の回転部材とは異なる他の操作部材への操作に応じて、前記画像処理手段による、選択されている画像処理の種別における画像処理の設定値を変更するように制御するステップを有することを特徴とする制御方法。
【請求項１２】
クリック感のない回転操作部材である、レンズ鏡筒周りに回転する第１の回転部材と、クリック感のある回転操作部材である、前記レンズ鏡筒周りに回転する第２の回転部材と、を有するコンピュータを、請求項１ないし１０のいずれか１項に記載された撮像装置の各手段として機能させるためのプログラム。
【請求項１３】
クリック感のない回転操作部材である、レンズ鏡筒周りに回転する第１の回転部材と、クリック感のある回転操作部材である、前記レンズ鏡筒周りに回転する第２の回転部材と、を有するコンピュータを、請求項１ないし１０のいずれか１項に記載された撮像装置の各手段として機能させるためのプログラムを格納したコンピュータが読み取り可能な記憶媒体。
【発明の詳細な説明】
【技術分野】
【０００１】
本発明は、回転操作可能な操作部材を備えた撮像装置に関する。
【背景技術】
【０００２】
従来のデジタルカメラには、クリック感のある回転可能な操作部材（以下、回転操作部材）を搭載し、絞りやシャッタースピードといった数値パラメータやマニュアルフォーカスといった機能をユーザが回転操作部材に割り当てることで操作できるものがある。
【０００３】
例えば特許文献１には、コマンドリングに機能を割り当てて、右手はシャッターボタンに置いたまま、シャッターチャンスを逃さずに左手でパラメータ操作が可能となる技術が提案されている。
【先行技術文献】
【特許文献】
【０００４】
【特許文献１】特開２００３−１７７２９４号公報
【発明の概要】
【発明が解決しようとする課題】
【０００５】
従来のようにクリック感のある回転操作部材には従来と同じくユーザが所望の機能を割り当てて、クリック感のない回転操作部材をマニュアルフォーカス専用にすることで、ユーザがファインダに集中して撮影パラメータを操作できる。さらにオートフォーカスで撮影する場合はクリック感のない回転操作部材にユーザが所望の機能を割り当てることができる。一方で、カメラ任せのオートフォーカスで撮影する場合は、回転操作部材を用いて撮影パラメータを操作する必要がない。
【０００６】
そこで、本発明は、撮影モードごとに適切な機能を割り当てることでクリック感のない回転操作部材やクリック感のある回転操作部材の操作時において、より好適な操作感を提供することができる撮像装置を実現することを目的とする。
【課題を解決するための手段】
【０００７】
上記目的を達成するために、本発明の撮像装置は、クリック感のない回転操作部材である、レンズ鏡筒周りに回転する第１の回転部材と、クリック感のある回転操作部材である、前記レンズ鏡筒周りに回転する第２の回転部材と、マニュアルフォーカスをするか否かを設定する設定手段と、撮像された画像に選択された種別の画像処理を施す画像処理手段と、前記第２の回転部材に対する回転操作に応じて前記画像処理手段で施す画像処理の種別を変更し、前記設定手段においてマニュアルフォーカスをしないと設定されている場合は、前記第１の回転部材に対する回転操作に応じて前記画像処理手段による、選択されている画像処理の種別における画像処理の設定値を変更し、前記設定手段においてマニュアルフォーカスをすると設定されている場合は、前記第１の回転部材に対する回転操作に応じてフォーカス調整を行うとともに、前記第１の回転部材とは異なる他の操作部材への操作に応じて、前記画像処理手段による、選択されている画像処理の種別における画像処理の設定値を変更するように制御する制御手段と、を有する。
【発明の効果】
【０００８】
本発明によれば、撮影モードごとに適切な機能を割り当てることでクリック感のない回転操作部材やクリック感のある回転操作部材の操作時において、より好適な操作感を提供することができる。
【図面の簡単な説明】
【０００９】
【図１】本実施形態の撮像装置の背面（ａ）および前面（ｂ）の外観図。
【図２】本実施形態の撮像装置の構成を示すブロック図。
【図３】本実施形態の撮影モードにおいて回転操作部材の操作を受け付けて撮影を行うまでの処理を示すフローチャート。における星空モードの選択処理を示すフローチャート。
【図４】図３のクリックリング操作に応じた機能処理を示すフローチャート。
【図５】図３のスムーズリング操作に応じた機能処理を示すフローチャート。
【図６】図３のコントローラホイール操作に応じた機能処理を示すフローチャート。
【図７】図３の撮影処理を示すフローチャート。
【図８】撮影モードごとに回転操作部材に割り当てられる機能を示す図。
【図９】スムーズリングに割り当てられる機能を示す図。
【図１０】コントローラホイールに割り当てられる機能を示す図。
【図１１】クリックリングに割り当てられる機能を示す図。
【発明を実施するための形態】
【００１０】
以下に、本発明を実施するための形態について添付図面を参照して詳細に説明する。
【００１１】
＜装置構成＞図１及び図２を参照して、本発明を適用した実施形態の撮像装置（本実施形態では、デジタルカメラを例に挙げる）の機能及び外観について説明する。
【００１２】
本実施形態のデジタルカメラ１００の外観を示す図１において、表示部１０１は画像や各種情報を表示する液晶表示パネル（ＬＣＤ）等からなる。シャッターボタン１０２は撮影指示を行うための操作部である。モード切替ボタン１０３は各種モードを切り替えるための操作部である。コネクタ１０７は接続ケーブル１０８とデジタルカメラ１００とを接続するインターフェースである。操作部１０４はユーザからの各種操作を受け付ける各種スイッチ、ボタン、タッチパネル等の操作部材からなる操作部である。コントローラホイール１０６は操作部１０４に含まれる回転可能な第３の回転部材である。スムーズリング１１２とクリックリング１１３はレンズ鏡筒周りに回転可能な２段ダイヤル式の回転部材である。スムーズリング１１２が光軸方向に対して前方（被写体側）の第２の回転部材、クリックリング１１３が後方側（撮影者側）の第１の回転部材であり、各々の回転軸は同軸（光軸）上に設けられている。後述するように、ユーザは、撮影モードごとにスムーズリング１１２やクリックリング１１３、コントローラホイール１０６を回転操作することで、各部材に割り当てられた機能を実行することができる。電源ボタン１０５は電源のオン、電源オフを切り替える操作部である。記録媒体１０９はメモリカードやハードディスク等の記録媒体である。記録媒体スロット１１０は記録媒体１０９を格納するためのスロットである。記録媒体スロット１１０に格納された記録媒体１０９は、デジタルカメラ１００との通信が可能となる。蓋１１１は記録媒体スロット１１０の蓋である。
【００１３】
本実施形態のデジタルカメラ１００の内部構成を示す図２において、撮影レンズ２０３はズームレンズ、フォーカスレンズを含むレンズ群である。シャッター２０４は絞り機能を備える。撮像部２０５は被写体の光学像を電気信号に変換するＣＣＤやＣＭＯＳ等で構成される撮像素子である。Ａ／Ｄ変換器２０６は、アナログ信号をデジタル信号に変換する。Ａ／Ｄ変換器２０６は、撮像部２０５から出力されるアナログ信号をデジタル信号に変換するために用いられる。バリア２０２は、デジタルカメラ１００の、撮影レンズ２０３を含む撮像系を覆うことにより、撮影レンズ２０３、シャッター２０４、撮像部２０５を含む撮像系の汚れや破損を防止する。
【００１４】
画像処理部２０７は、Ａ／Ｄ変換器２０６からのデータ、又は、メモリ制御部２０９からのデータに対し所定の画素補間、縮小といったリサイズ処理や色変換処理を行う。また、画像処理部２０７では、撮像した画像データを用いて所定の演算処理が行われ、得られた演算結果に基づいてシステム制御部２０１が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２０７ではさらに、撮像した画像データを用いて所定の演算処理を行い、得られた演算結果に基づいてＴＴＬ方式のＡＷＢ（オートホワイトバランス）処理も行っている。
【００１５】
Ａ／Ｄ変換器２０６からの出力データは、画像処理部２０７及びメモリ制御部２０９を介して、或いは、メモリ制御部２０９を介してメモリ２１０に直接書き込まれる。メモリ２１０は、撮像部２０５によって得られ、Ａ／Ｄ変換器２０６によりデジタルデータに変換された画像データや、表示部１０１に表示するための画像データを格納する。メモリ２１０は、所定枚数の静止画や所定時間の動画および音声を格納するのに十分な記憶容量を備えている。
【００１６】
また、メモリ２１０は画像表示用のメモリ（ビデオメモリ）を兼ねている。Ｄ／Ａ変換器２０８は、メモリ２１０に格納されている画像表示用のデータをアナログ信号に変換して表示部１０１に供給する。こうして、メモリ２１０に書き込まれた表示用の画像データはＤ／Ａ変換器２０８を介して表示部１０１により表示される。表示部１０１は、ＬＣＤ等の表示器上に、Ｄ／Ａ変換器２０８からのアナログ信号に応じた表示を行う。Ａ／Ｄ変換器２０６によって一旦Ａ／Ｄ変換され、メモリ２１０に蓄積されたデジタル信号をＤ／Ａ変換器２０８においてアナログ変換し、表示部１０１に逐次転送して表示することで、電子ビューファインダとして機能し、スルー画像表示を行える。なお、スルー画像を言い換えるとライブビュー画像、スルー画像表示を言い換えるとライブビューであるものとする。
【００１７】
不揮発性メモリ２１３は、電気的に消去・記録可能なメモリであり、例えばＥＥＰＲＯＭ等が用いられる。不揮発性メモリ２１３には、システム制御部２０１の動作用の定数、プログラム等が記憶される。ここでいう、プログラムとは、本実施形態にて後述する各種フローチャートを実行するためのプログラムのことである。
【００１８】
システム制御部２０１は、デジタルカメラ１００全体を制御する。前述した不揮発性メモリ２１３に記録されたプログラムを実行することで、後述する本実施形態の各処理を実現する。２１２はシステムメモリであり、ＲＡＭが用いられる。システムメモリ２１２には、システム制御部２０１の動作用の定数、変数、不揮発性メモリ２１３から読み込んだプログラム等を展開する。また、システム制御部２０１はメモリ２１０、Ｄ／Ａ変換器２０８、表示部１０１等を制御することにより表示制御も行う。
【００１９】
システムタイマー２１１は各種制御に用いる時間や、内蔵された時計の時間を計測する計時部である。
【００２０】
モード切替ボタン１０３、第１シャッタースイッチ１０２ａ、第２シャッタースイッチ１０２ｂ、操作部１０４はシステム制御部２０１に各種の動作指示を入力するための操作手段である。
【００２１】
モード切替ボタン１０３は、システム制御部２０１の動作モードを静止画撮影モード、動画記録モード、再生モードなどのいずれかに切り替える。静止画記録モードに含まれるモードとして、オートモード、オートシーン判別モード、マニュアルモード、撮影シーン別撮影モード、プログラムＡＥモード、カスタムモードなどがある。モード切替ボタン１０３で、静止画記録モードに含まれるこれらのモードのいずれかに直接切り替えられる。あるいは、モード切替ボタン１０３で静止画記録モードに一旦切り替えた後に、静止画記録モードに含まれるこれらのモードのいずれかに、他の操作部材を用いて切り替えるようにしても良い。同様に、動画記録モードにも複数のモードが含まれていても良い。
【００２２】
第１シャッタースイッチ１０２ａは、デジタルカメラ１００に設けられたシャッターボタン１０２の操作途中、いわゆる半押し（撮影準備指示）でオンとなり第１シャッタースイッチ信号ＳＷ１を発生する。第１シャッタースイッチ信号ＳＷ１により、ＡＦ処理、ＡＥ処理、ＡＷＢ処理、ＥＦ処理等の動作を開始する。
【００２３】
第２シャッタースイッチ１０２ｂは、シャッターボタン１０２の操作完了、いわゆる全押し（撮影指示）でオンとなり、第２シャッタースイッチ信号ＳＷ２を発生する。システム制御部２０１は、第２シャッタースイッチ信号ＳＷ２により、撮像部２０５からの信号読み出しから記録媒体１０９に画像データを書き込むまでの一連の撮影処理の動作を開始する（撮影制御）。
【００２４】
操作部１０４の各操作部材は、表示部１０１に表示される種々の機能アイコンを選択操作することなどにより、シーンごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部１０１に表示される。ユーザは、表示部１０１に表示されたメニュー画面と、上下左右の４方向ボタンやＳＥＴボタンとを用いて直感的に各種設定を行うことができる。
【００２５】
なお、操作部１０４の１つとして、表示部１０１に対する接触を検知可能なタッチパネルを有する。タッチパネルと表示部１０１とは一体的に構成することができる。例えば、タッチパネルを光の透過率が表示部１０１の表示を妨げないように構成し、表示部１０１の表示面の上層に取り付ける。そして、タッチパネルにおける入力座標と、表示部１０１上の表示座標とを対応付ける。これにより、あたかもユーザが表示部１０１上に表示された画面を直接的に操作可能であるかのようなＧＵＩを構成することができる。
【００２６】
コントローラホイール１０６は、操作部１０４に含まれる回転操作可能な操作部材であり、方向ボタンと共に選択項目を指示する際などに使用される。コントローラホイール１０６を回転操作すると、操作量に応じて電気的なパルス信号が発生し、このパルス信号に基づいてシステム制御部２０１はデジタルカメラ１００の各部を制御する。このパルス信号によって、コントローラホイール１０６が回転操作された角度や、何回転したかなどを判定することができる。なお、コントローラホイール１０６は回転操作が検出できる操作部材であればどのようなものでも良い。例えば、ユーザの回転操作に応じてコントローラホイール１０６自体が回転してパルス信号を発生するダイヤル操作部材であっても良い。また、タッチセンサよりなる操作部材で、コントローラホイール１０６自体は回転せず、コントローラホイール１０６上でのユーザの指の回転動作などを検出するものであっても良い（いわゆる、タッチホイール）。なお、スムーズリング１１２やクリックリング１１３も同様に、これらを回転操作すると、操作量に応じて電気的なパルス信号が発生し、このパルス信号に基づいてシステム制御部２０１はデジタルカメラ１００の各部を制御する。
【００２７】
電源制御部２１４は、電池検出回路、ＤＣ−ＤＣコンバータ、通電するブロックを切り替えるスイッチ回路等により構成され、電池の装着の有無、電池の種類、電池残量の検出を行う。また、電源制御部２１４は、その検出結果及びシステム制御部２０１の指示に基づいてＤＣ−ＤＣコンバータを制御し、必要な電圧を必要な期間、記録媒体１０９を含む各部へ供給する。
【００２８】
電源部２１５は、アルカリ電池やリチウム電池等の一次電池やＮｉＣｄ電池やＮｉＭＨ電池、リチウムイオン電池等の二次電池、ＡＣアダプタ等からなる。記録媒体Ｉ／Ｆ２１６は、メモリカードやハードディスク等の記録媒体１０９とのインターフェースである。記録媒体１０９は、撮影された画像を記録するためのメモリカード等の記録媒体であり、半導体メモリや磁気ディスク等から構成される。
【００２９】
通信部２１７は、無線アンテナや有線ケーブルによって外部機器と通信可能に接続し、映像や音声の送受信を行う。通信部２１７は無線ＬＡＮ（Ｌｏｃａｌ Ａｒｅａ Ｎｅｔｗｏｒｋ）やインターネットにも接続可能である。通信部２１７は撮像部２０５で撮像された画像データ（スルー画像を含む）や、記録媒体１０９に記録されている画像ファイルを外部機器に送信でき、また、外部機器から画像データやその他の各種情報を受信できる。
【００３０】
姿勢検知部２１８は重力方向に対するデジタルカメラ１００の姿勢を検知する。姿勢検知部２１８で検知された姿勢に応じて、撮像部２０５で撮像された画像がデジタルカメラ１００を横に構えて撮影されたものか、縦に構えて撮影されたものかをを判別可能である。システム制御部２０１は、姿勢検知部２１８で検知された姿勢に関する情報を撮像部２０５で撮像された画像データに付加したり、画像データを回転して記録することが可能である。姿勢検知部としては、加速度センサやジャイロセンサなどを用いることができる。
【００３１】
デジタルカメラ１００は、少なくとも画像を再生するための再生モードと、撮影を行うための撮影モードとで、切り替えて使用することができる。撮影モードとしては、オートモードやプラスムービーオートモード、マニュアルモード（Ｍ）、絞り優先ＡＥモード（Ａｖ）、シャッター速度優先ＡＥモード（Ｔｖ）モード、プログラムＡＥモード（Ｐ）を備えている。さらに、撮影モードとして、クリエイティブショットモード、クリエイティブフィルタモード、複数のシーン別撮影モード（ＳＣＮ）を備えている。オートモードは、カメラの各種パラメータが、計測された露出値に基づいてデジタルカメラ１００に組み込まれたプログラムにより自動的に決定されるモードである。プラスムービーオートモードは、ユーザが撮影指示を行う（ＳＷ２オン）直前の数秒前のシーンを動画で記録するモードである。Ｍモードは、カメラの各種パラメータをユーザが自由に変更可能なモードである。Ａｖモードは、ユーザが絞りを決めると、適正露出になるよう、カメラが自動的にシャッター速度を決定するモードである。Ｔｖモードは、シャッター速度を決めると、適正露出になるよう、カメラが自動的に絞りを決めるモードである。Ｐモードは、被写体の明るさに応じて、カメラが自動的にシャッター速度と絞りを自動的に設定するモードである。クリエイティブショットモードは、カメラが自動でシーンを識別し、撮影された画像に自動で「構図」、「色／光」、「ボケ味」などの画像処理（フィルタ処理）を施して複数種類の画像（オリジナル画像を含む）を生成するモードである。フィルタ処理の設定値（カテゴリ）として、例えば「レトロ（古い風合い）」、「モノクロ（白黒、セピア、青から選択）」、「スペシャル（特殊で大胆な効果」、「ナチュラル（自然な印象の抑え目な効果）」、「オート（全ての効果からカメラが選択）」などが選択可能である。クリエイティブフィルタモードは、カメラが予め選択されたフィルタ処理を撮影画像に施して新たな画像を生成、記録するモードである。フィルタ効果の設定値として、例えば「ラフモノクロ（コントラスト調整）」、「ソフトフォーカス（ぼかし具合）」、「魚眼風」、「トイカメラ風（色調）」、「ジオラマ風（くっきり見せたい部分の選択）」などが選択可能である。シーン別撮影モード（ＳＣＮ）は、撮影シーン別にその撮影シーンに適したシャッター速度や絞り、ストロボ発光状態、感度設定、ホワイトバランス（ＷＢ）設定等を組み合わせることによって実現されるモードである。デジタルカメラ１００は、例えば、以下に記す（１）〜（１５）のシーン別撮影モードを備えている。但し、これらのシーン別撮影モードに限定されるものではない。
（１）水上撮影モード（ビーチモード）：太陽光の反射の強い海面や砂浜でも、人物などが暗くならずに撮影可能なモード
（２）夜景撮影モード：人物にストロボ光をあて、背景を遅いシャッター速度で記録する、夜景シーンに特化したモード
（３）打ち上げ花火撮影モード：打ち上げ花火を最適な露出で鮮やかに撮影するためのモード
（４）水中撮影モード：水中撮影に最適なホワイトバランスに設定し、青みを押さえた色合いで撮影するモード
（５）夕焼け撮影モード：シルエットを強調し、赤を強調して撮影するモード
（６）ポートレート撮影モード：背景をぼかして人物を浮き立たせるようにして人物撮影に特化したモード
（７）スポーツ撮影モード：動きの早い被写体をとるのに特化した設定とする撮影モード
（８）スノー撮影モード：雪景色をバックにしても人物が暗くならず、青みも残さず撮影するモード
（９）ナイト＆スナップ撮影モード：三脚なしで夜景と人物をきれいに撮るのに適したモード
（１０）スポットライト撮影モード：スポットライトが当たった被写体をきれいに撮るモード
（１１）水族館モード：屋内の水槽内の魚などを撮影するのに適した感度、ホワイトバランス、色味を設定するモード
（１２）水中モード：水中に最適なホワイトバランスに設定し、青みを押さえた色合いで撮影するモード
（１３）物撮り撮影モード：マクロモードに設定し、コントラストを高めに設定するモード
（１４）花撮影モード：マクロモードに設定し、彩度も高めに設定するモード
（１５）料理撮影モード：マクロモードに設定、彩度を高めに設定、フラッシュ非発光に設定するモード
撮影者は、撮影モード選択メニューからデジタルカメラ１００を所望の撮影モードに設定して撮影を行うことができる。
【００３２】
＜撮影モードごとの機能の割り当て＞次に、図８から図１１を参照して、撮影モードごとにスムーズリング１１２、クリックリング１１３、コントローラホイール１０６に割り当てられる機能について説明する。
【００３３】
図８に示すように、オートモードおよび／またはプラスムービーオートモードの場合は、クリックリング１１３にステップズーム機能におけるズーム倍率の設定操作が割り当てられる。スムーズリング１１２およびコントローラホイール１０６に割り当てられる機能はない。このように、クリックリング１１３にステップズーム機能を割り当てることにより、ユーザはクリック感のある回転操作部材を用いて所望のズーム倍率の設定を行うことができる。なお、オートモードまたはプラスムービーオートモードの場合に、ズーム倍率の設定をスムーズリング１１２で行えるようにしも良い。これにより、ユーザはマニュアル的な操作感を得ることができる。
【００３４】
クリエイティブショットモードの場合は、クリックリング１１３にカテゴリの選択機能が割り当てられる。スムーズリング１１２およびコントローラホイール１０６に割り当てられる機能はない。このように、クリックリング１１３にクリエイティブショットのカテゴリ選択機能を割り当てることにより、ユーザはクリック感のある回転操作部材を操作しながら所望のカテゴリを選択することができる。
【００３５】
クリエイティブフィルタモードの場合は、クリックリング１１３にフィルタの切り替え機能が割り当てられ、スムーズリング１１２にフィルタ効果の設定機能が割り当てられ、コントローラホイール１０６に割り当てられる機能はない。このようにクリックリングおよびスムーズリングに機能を割り当てることで、ユーザは、クリック感のない回転操作部材を操作することでフィルタ効果の強弱を設定でき、クリック感のある回転操作部材を操作することでフィルタ効果を切り替えることができる。なお、スムーズリング１１２はオートフォーカス（ＡＦ）の場合は上記フィルタ効果の設定機能が割り当てられるが、マニュアルフォーカス（ＭＦ）またはオートフォーカス（ＡＦ）後のマニュアルフォーカス（ＡＦ＋ＭＦ）に切り替えられた場合は、図６で後述するようにフォーカス調整機能が他の機能に優先して割り当てられる。なお、ＡＦ＋ＭＦ機能は、ＡＦでピントを合わせた後、マニュアルフォーカスでピントを微調整できる機能であり、より高精度なピント合わせが可能となる。
【００３６】
シーン別撮影モード（ＳＣＮ）の場合は、クリックリング１１３にシーン切り替え機能が割り当てられ、スムーズリング１１２およびコントローラホイール１０６に割り当てられる機能はない。このように、クリックリング１１３にシーン切り替え機能を割り当てることにより、ユーザはクリック感のある回転操作部材を操作しながら撮影シーンを個別に切り替えることができる。
【００３７】
なお、本実施形態においては、動画記録モードの場合は、スムーズリング１１２、クリックリング１１３およびコントローラホイール１０６のいずれにも機能は割り当てられない構成としている。しかしながら、例えば、動画記録モードの場合には、回転操作部材の操作音を発しないようにすることで、動画中に操作音が入らずに露出などを変更しながら録画できるようになる。
【００３８】
また、コントローラホイール１０６には誤操作防止のため上記のような機能を割り当てないことが好ましい。
【００３９】
次に、図９を参照して、オートフォーカス（ＡＦ）の場合にスムーズリングに割り当てられる機能について説明する。なお、上述したように、マニュアルフォーカス（ＭＦ）に切り替えられた場合は、フォーカス調整機能が他の機能に優先して割り当てられる。
【００４０】
撮影モードがＭ、Ｔｖ、Ａｖ、Ｐのいずれかである場合は、メニュー画面においてユーザがスムーズリング１１２、クリックリング１１３およびコントローラホイール１０６に所望の機能を割り当てることができる。
【００４１】
図９に示すように、スムーズリング１１２に割り当てることが可能な機能は、無効（初期設定）、絞り（Ａｖ）、およびシャッター速度（Ｔｖ）の各パラメータを設定する機能であり、露出補正値を設定する機能を割り当てることはできない。また、絞り優先ＡＥモード（Ａｖ）の場合には、無効（初期設定）、絞り（Ａｖ）、および露出補正値の各パラメータを設定する機能が割り当て可能であり、シャッター速度（Ｔｖ）を設定する機能を割り当てることはできない。さらに、シャッター速度優先ＡＥモード（Ｔｖ）の場合には、無効（初期設定）、シャッター速度（Ｔｖ）、および露出補正値の各パラメータを設定する機能が割り当て可能であり、絞り（Ａｖ）を設定する機能を割り当てることはできない。さらにまた、プログラムＡＥモード（Ｐ）の場合には、無効（初期設定）および露出補正の各パラメータを設定する機能が割り当て可能であり、絞り（Ａｖ）およびシャッター速度（Ｔｖ）を設定する機能を割り当てることはできない。
【００４２】
このようにスムーズリング１１２に機能を割り当て可能なので、ユーザは、クリック感のない回転操作部材を操作することで絞りやシャッター速度、露出補正値などの撮影パラメータの設定を行うことができる。
【００４３】
次に、図１０を参照して、マニュアルフォーカス（ＭＦ）またはオートフォーカス（ＡＦ）後のマニュアルフォーカス（ＡＦ＋ＭＦ）の場合にコントローラホイール１０６に割り当てられる機能について説明する。
【００４４】
図示のように、コントローラホイール１０６に割り当てられる機能は、絞り（Ａｖ）、シャッター速度（Ｔｖ）、無効（初期設定）、ダイナミックレンジ（以下、Ｄレンジ）補正値、暗部補正値、ＩＳＯ感度、ホワイトバランス補正値、アスペクト比、ステップズーム倍率である。露出補正を設定する機能を割り当てることはできない。また、絞り優先ＡＥモード（Ａｖ）の場合には、絞り（Ａｖ）、無効（初期設定）、露出補正値、Ｄレンジ補正値、暗部補正値、ＩＳＯ感度、ＷＢ補正値、アスペクト比、およびステップズーム倍率の設定機能が割り当て可能である。シャッター速度（Ｔｖ）の設定機能を割り当てることはできない。さらに、シャッター速度優先ＡＥモード（Ｔｖ）の場合には、シャッター速度（Ｔｖ）、無効（初期設定）、露出補正値、Ｄレンジ補正値、暗部補正値、ＩＳＯ感度、ＷＢ補正値、アスペクト比、およびステップズーム倍率の設定機能が割り当て可能である。絞り（Ａｖ）を設定する機能を割り当てることはできない。さらにまた、プログラムＡＥモード（Ｐ）の場合には、無効（初期設定）、露出補正値、Ｄレンジ補正値、暗部補正値、ＩＳＯ感度、ＷＢ補正値、アスペクト比、およびステップズーム倍率の設定機能が割り当て可能である。絞り（Ａｖ）およびシャッター速度（Ｔｖ）の設定機能を割り当てることはできない。
【００４５】
このようにコントローラホイール１０６に所望の機能を割り当て可能としたので、ユーザは、絞りやシャッター速度、露出補正値、Ｄレンジ補正値、暗部補正値、ＩＳＯ感度、ホワイトバランス補正値、アスペクト比、ズーム倍率などを設定できる。
【００４６】
次に、図１１を参照して、マニュアルフォーカス（ＭＦ）またはオートフォーカス（ＡＦ）後のマニュアルフォーカス（ＡＦ＋ＭＦ）の場合にクリックリング１１３に割り当てられる機能について説明する。
【００４７】
図１１に示すように、クリックリング１１３に割り当てることが可能な機能は、設定が可能な撮影パラメータの種別を切り替える機能である。そして、種別を切り替えた後にスムーズリングやコントローラホイールその他の操作部材を用いてパラメータの設定を行うことができる。
【００４８】
例えば、マニュアルモードの場合には、切り替えられる撮影パラメータの種別として、シャッター速度（Ｔｖ）と絞り（Ａｖ）（初期設定）、Ｄレンジ補正値とシャッター速度（Ｔｖ）と絞り（Ａｖ）、暗部補正値とシャッター速度（Ｔｖ）と絞り（Ａｖ）、ＩＳＯ感度とシャッター速度（Ｔｖ）と絞り（Ａｖ）、ＷＢ補正値とシャッター速度（Ｔｖ）と絞り（Ａｖ）、アスペクト比とシャッター速度（Ｔｖ）と絞り（Ａｖ）、ステップズームとシャッター速度（Ｔｖ）と絞り（Ａｖ）の間での切り替えが可能となる。なお、露出補正値と絞り（Ａｖ）を切り替える機能を割り当てることはできない。
【００４９】
また、絞り優先ＡＥモード（Ａｖ）の場合には、切り替えられる撮影パラメータの種別として、絞り（Ａｖ）（初期設定）、露出補正値と絞り（Ａｖ）、Ｄレンジ補正値と絞り（Ａｖ）、暗部補正値と絞り（Ａｖ）、ＩＳＯ感度と絞り（Ａｖ）、ＷＢ補正値と絞り（Ａｖ）、アスペクト比と絞り（Ａｖ）、ステップズームと絞り（Ａｖ）の間での切り替えが可能となる。
【００５０】
さらに、シャッター速度優先ＡＥモード（Ｔｖ）の場合には、切り替えられる撮影パラメータの種別として、シャッター速度（Ｔｖ）（初期設定）、露出補正値とシャッター速度（Ｔｖ）、Ｄレンジ補正値とシャッター速度（Ｔｖ）、暗部補正値とシャッター速度（Ｔｖ）、ＩＳＯ感度とシャッター速度（Ｔｖ）、ＷＢ補正値とシャッター速度（Ｔｖ）、アスペクト比とシャッター速度（Ｔｖ）、ステップズームとシャッター速度（Ｔｖ）の間での切り替えが可能となる。
【００５１】
さらにまた、プログラムＡＥモード（Ｐ）の場合には、設定が可能な撮影パラメータの種別として、無効（初期設定）、露出補正値、Ｄレンジ補正値、暗部補正値、ＩＳＯ感度、ＷＢ補正値、アスペクト比、およびステップズームを割り当てることが可能となる。
【００５２】
＜撮影モード＞次に、図３から図７を参照して、本実施形態の撮影モードにおいて回転操作部材の操作を受け付けて撮影を行うまでの処理について説明する。
【００５３】
以下では、コントローラホイール、スムーズリング、クリックリングに割り当てられた機能の処理とそれに基づく撮影動作を説明する。
【００５４】
なお、図３の処理は、不揮発性メモリ２１３に記録されたプログラムを、システムメモリ２１２に読み出してシステム制御部２０１が実行することにより実現する。また、図３の処理は、デジタルカメラ１００を起動して、上述した撮影モードのいずれかに設定されると開始される。
【００５５】
ステップＳ３０１では、システム制御部２０１は、スルー画像表示を開始する。
【００５６】
ステップＳ３０２では、システム制御部２０１は、クリックリング操作に応じた機能処理を行う。
【００５７】
ステップＳ３０３では、システム制御部２０１は、スムーズリング操作に応じた機能処理を行う。
【００５８】
ステップＳ３０４では、システム制御部２０１は、コントローラホイール操作に応じた機能処理を行う。
【００５９】
ステップＳ３０５では、システム制御部２０１は、シャッターボタン操作に応じた撮影処理を行う。
【００６０】
ステップＳ３０６では、システム制御部２０１は、撮影モードを終了するか否かを判定し、終了しない場合はステップＳ３０２に戻り、終了する場合は本処理を終了する
＜クリックリング操作に応じた機能処理＞次に、図４を参照して、図３のステップＳ３０２におけるクリックリング操作に応じた機能処理について説明する。
【００６１】
ステップＳ４０１では、システム制御部２０１は、クリックリングが操作されたか否かを判定し、操作された場合はステップＳ４０２に進み、操作されない場合は本処理を終了する。
【００６２】
ステップＳ４０２では、システム制御部２０１は、撮影モードがシーン別撮影モード（ＳＣＮ）であるか否かを判定し、ＳＣＮの場合はステップＳ４０３に進み、ＳＣＮ以外の場合はステップＳ４０４に進む。
【００６３】
ステップＳ４０３では、システム制御部２０１は、ＳＣＮモードへの切替処理を行う。
【００６４】
ステップＳ４０４では、システム制御部２０１は、撮影モードがクリエイティブフィルタであるか否かを判定し、クリエイティブフィルタの場合はステップＳ４０５に進み、クリエイティブフィルタ以外の場合はステップＳ４０６へ進む。
【００６５】
ステップＳ４０５では、システム制御部２０１は、フィルタモードの切替処理を行う。
【００６６】
ステップＳ４０６では、システム制御部２０１は、撮影モードがマニュアルモード（Ｍ）、絞り優先ＡＥモード（Ａｖ）、シャッター速度優先ＡＥモード（Ｔｖ）、プログラムＡＥモード（Ｐ）のいずれかであるか否かを判定する。そして、Ｍ、Ｔｖ、Ａｖ、Ｐのいずれかである場合はステップＳ４０７に進み、それ以外の場合は本処理を終了する。
【００６７】
ステップＳ４０７では、システム制御部２０１は、図１１で説明したクリックリング１１３に割り当てられた機能に基づくユーザ操作に応じた処理を行う。
【００６８】
＜スムーズリング操作に応じた機能処理＞次に、図５を参照して、図３のステップＳ３０３におけるスムーズリング操作に応じた機能処理について説明する。
【００６９】
ステップＳ５０１では、システム制御部２０１は、スムーズリングが操作されたか否かを判定し、操作された場合はステップＳ５０２に進み、操作されない場合は本処理を終了する。
【００７０】
ステップＳ５０２では、システム制御部２０１は、フォーカスの設定がマニュアル（ＭＦ）であるか否かを判定し、ＭＦの場合はステップＳ５０３に進み、オート（ＡＦ）の場合はステップＳ５０４に進む。なお、フォーカスの設定が、オートフォーカス（ＡＦ）後のマニュアルフォーカス（ＡＦ＋ＭＦ）の場合にもステップＳ５０３に進む。
【００７１】
ステップＳ５０３では、システム制御部２０１は、マニュアルによる被写体距離の変更処理を行う。
【００７２】
ステップＳ５０４では、システム制御部２０１は、撮影モードがクリエイティブフィルタであるか否かを判定し、クリエイティブフィルタの場合はステップＳ５０５に進み、クリエイティブフィルタ―以外の場合はステップＳ５０６へ進む。
【００７３】
ステップＳ５０５では、システム制御部２０１は、フィルタ効果の設定処理を行う。
【００７４】
ステップＳ５０６では、システム制御部２０１は、撮影モードがＭ、Ｔｖ、Ａｖ、Ｐのいずれかであるか否かを判定し、Ｍ、Ｔｖ、Ａｖ、Ｐの場合はステップＳ５０７に進み、それ以外の場合は本処理を終了する。
【００７５】
ステップＳ５０７では、システム制御部２０１は、図９で説明したスムーズリング１１２に割り当てられた機能に基づくユーザ操作に応じた処理を行う。
【００７６】
＜コントローラホイール操作に応じた機能処理＞次に、図６を参照して、図３のステップＳ３０４におけるコントローラホイール操作に応じた機能処理について説明する。
【００７７】
ステップＳ６０１では、システム制御部２０１は、コントローラホイールが操作されたか否かを判定し、操作された場合はステップＳ６０２に進み、操作されない場合は本処理を終了する。
【００７８】
ステップＳ６０２では、システム制御部２０１は、フォーカスの設定がマニュアル（ＭＦ）であるか否かを判定し、ＭＦの場合はステップＳ６０３に進み、オート（ＡＦ）の場合はステップＳ６０５に進む。なお、フォーカスの設定が、オートフォーカス（ＡＦ）後のマニュアルフォーカス（ＡＦ＋ＭＦ）の場合にもステップＳ６０３に進む。
【００７９】
ステップＳ６０３では、システム制御部２０１は、撮影モードがクリエイティブフィルタであるか否かを判定し、クリエイティブフィルタの場合はステップＳ６０４に進み、クリエイティブフィルタ以外の場合はステップＳ６０５へ進む。
【００８０】
ステップＳ６０４では、システム制御部２０１は、フィルタ効果の設定処理を行う。
【００８１】
ステップＳ６０５では、システム制御部２０１は、撮影モードがＭ、Ｔｖ、Ａｖ、Ｐのいずれかであるか否かを判定し、Ｍ、Ｔｖ、Ａｖ、Ｐの場合はステップＳ６０６に進み、それ以外の場合は本処理を終了する。
【００８２】
ステップＳ６０６では、システム制御部２０１は、図１０で説明したコントローラホイール１０６に割り当てられた機能に基づくユーザ操作に応じた処理を行う。
【００８３】
＜シャッターボタン操作に応じた撮影処理＞次に、図７を参照して、図３のステップＳ３０５におけるシャッターボタン操作に応じた撮影処理について説明する。
【００８４】
ステップＳ７０１では、システム制御部２０１は、シャッターボタン１０２の半押しにより第１シャッタースイッチ信号ＳＷ１がオンされるまで、すなわち撮影準備指示が行われるまで待機し、ＳＷ１がオンされた場合はステップＳ７０２に進む。
【００８５】
ステップＳ７０２では、システム制御部２０１は、スムーズリングが操作されたか否かを判定し、操作された場合はステップＳ７０３に進み、操作されない場合はステップＳ７０５に進む。
【００８６】
ステップＳ７０３では、システム制御部２０１は、フォーカスの設定を判定し、マニュアルフォーカス（ＭＦ）の場合はステップＳ７０４に進み、オートフォーカス（ＡＦ）の場合はステップＳ７０５に進む。なお、フォーカスの設定が、オートフォーカス（ＡＦ）後のマニュアルフォーカス（ＡＦ＋ＭＦ）の場合にもステップＳ７０４に進む。
【００８７】
ステップＳ７０４では、システム制御部２０１は、スムーズリング１１２の回転操作に応じてフォーカスレンズ位置の変更処理を行う。
【００８８】
ステップＳ７０５では、システム制御部２０１は、ＡＥ処理およびＡＦ処理などの動作を行い、ステップＳ７０６に進む。
【００８９】
ステップＳ７０６では、システム制御部２０１は、シャッターボタン１０２の全押しにより第２シャッタースイッチ信号ＳＷ２がオンされたか、すなわち撮影指示が行われたか判定する。そして、ＳＷ２がオンされた場合はステップＳ７０７に進み、ＳＷ２がオンされない場合、つまりＳＷ１がオンのまま維持されている場合はステップＳ７０８に進む。
【００９０】
ステップＳ７０７では、システム制御部２０１は、撮影処理を行う。
【００９１】
ステップＳ７０８では、システム制御部２０１は、ＳＷ１がオフされたか否かを判定し、オフされていない場合はステップＳ７０１に戻り、オフされた場合は本処理を終了する。
【００９２】
このように、本実施形態によれば、マニュアルフォーカスの場合はクリック感のない回転操作部材を用いてマニュアル的なフォーカス調整が可能になる。また、オートフォーカスの場合はクリエイティブフィルターモードのフィルタ効果の設定を行うことができる。
【００９３】
また、マニュアルフォーカスの場合は、フィルタ効果の設定をコントローラホイール１０６へ割り当てることで、フォーカス調整とフィルタ効果の設定を両立できる。
【００９４】
なお、システム制御部２０１の制御は１つのハードウェアが行っても良いし、複数のハードウェアが処理を分担することで、装置全体の制御を行っても良い。
【００９５】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００９６】
また、上述した実施形態においては、本発明をデジタルカメラなどの撮像装置に適用した場合を例にして説明したが、本発明はこの例に限定されず、例えば、クリック感のある回転操作部材とクリック感のない回転操作部材を搭載し、各操作部材に機能の割り当てが可能な撮像装置であれば適用可能である。すなわち、本発明は、ＰＤＡ、携帯電話端末や携帯型の画像ビューワ、ゲーム機、電子ブックリーダなどに適用可能である。
【００９７】
［他の実施形態］本発明は、以下の処理を実行することによっても実現される。即ち上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び当該プログラムを記憶した記憶媒体は本発明を構成することになる。
【図１】
2015126418.tif 000003
【図２】
2015126418.tif 000004
【図３】
2015126418.tif 000005
【図４】
2015126418.tif 000006
【図５】
2015126418.tif 000007
【図６】
2015126418.tif 000008
【図７】
2015126418.tif 000009
【図８】
2015126418.tif 000010
【図９】
2015126418.tif 000011
【図１０】
2015126418.tif 000012
【図１１】
2015126418.tif 000013